(57)【要約】  アップリンク制御情報の送信方法であって、該方法は、周波数分割複信（FDD）サービスセルと時分割複信（TDD）サービスセルがアグリゲーションされた場合、ユーザ装置（UE）が、プリセットの規則に応じて、FDDサービスセルのアップリンクサブフレーム及び/又はTDDサービスセルのアップリンクサブフレームにおいてアップリンク制御情報を送信することを含む。【選択図】図3(a)
2016531490.tif 000002
【特許請求の範囲】
【請求項１】
周波数分割複信（FDD）サービスセルと時分割複信（TDD）サービスセルがアグリゲーションされた場合、ユーザ装置（UE）がプリセットの規則に応じて、FDDサービスセルのアップリンクサブフレーム及び/又はTDDサービスセルのアップリンクサブフレームにおいてアップリンク制御情報を送信することを含み、
前記プリセットの規則は、
プライマリサービスセルはTDDサービスセルであり、サブフレームNは同時にFDDサービスセルのアップリンクサブフレームとTDDプライマリサービスセルのアップリンクサブフレームを有し、且つサブフレームNにおいてアップリンク制御情報が送信される場合、前記UEはTDDサービスセルのアップリンクサブフレームにおいてアップリンク制御情報を送信すること、
プライマリサービスセルはTDDサービスセルであり、サブフレームNはFDDサービスセルのアップリンクサブフレームのみを有し、且つサブフレームNにおいてアップリンク制御情報が送信される場合、前記UEはFDDサービスセルのアップリンクサブフレームにおいてアップリンク制御情報を送信すること、
プライマリサービスセルはTDDサービスセルであり、サブフレームNはTDDサービスセルのアップリンクサブフレームのみを有し、且つサブフレームNにおいてアップリンク制御情報が送信される場合、前記UEはTDDサービスセルのアップリンクサブフレームにおいてアップリンク制御情報を送信すること、
プライマリサービスセルがFDDサービスセルである場合、前記UEはFDDサービスセルのアップリンクサブフレームにおいてアップリンク制御情報を送信すること、
シグナリングは前記アップリンク制御情報をFDDサービスセルのアップリンクサブフレーム又はTDDサービスセルのアップリンクサブフレームにおいて送信するように指示すること、
前記アップリンク制御情報はプライマリサービスセルのアップリンクサブフレームにおいて伝送されること、
のうちの1種又は複数種を含むアップリンク制御情報の送信方法。
【請求項２】
前記UEがプリセットの規則に応じてFDDサービスセルのアップリンクサブフレーム及び/又はTDDサービスセルのアップリンクサブフレームにおいてアップリンク制御情報を送信する過程は、
前記UEがプリセットの規則に応じて、アップリンク制御情報を伝送するアップリンクサブフレームがFDDサービスセルのアップリンクサブフレーム及び/又はTDDサービスセルのアップリンクサブフレームであることを確定し、確定されたアップリンクサブフレームに対応する物理アップリンク制御チャネル（PUCCH）又は物理アップリンク共有チャネル（PUSCH）において前記アップリンク制御情報を伝送することであり、
前記アップリンク制御情報は、チャネル状態情報（CSI）、スケジューリング要求（SR）、ハイブリッド自動再送要求情報（HARQ-ACK）のうちの1種又は複数種を含む請求項1に記載の方法。
【請求項３】
前記UEは確定されたアップリンクサブフレームに対応するPUCCH又はPUSCHにおいてHARQ-ACKを送信する場合、アップリンク制御情報を送信する過程は、
前記UEがFDDサービスセルに対して、FDDサービスセルに対応する物理ダウンリンク共有チャネル（PDSCH）及びHARQ-ACKタイミング関係に応じて、確定されたアップリンクサブフレームに対応するPUCCH又はPUSCHにおいて送信する必要があるHARQ-ACKを確定させ、前記UEがTDDサービスセルに対して、TDDサービスセルに対応するPDSCH及びHARQタイミング関係に応じて、確定されたアップリンクサブフレームに対応するPUCCH又はPUSCHにおいて送信する必要があるHARQ-ACKを確定させること、又は
前記UEがFDDサービスセルに対して、FDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、前記UEがTDDサービスセルに対して、FDDサービスセルに対応するHARQ-ACKタイミング関係に応じて、確定されたアップリンクサブフレームに対応するPUCCH又はPUSCHにおいて送信する必要があるHARQ-ACKを確定させること、又は
FDDサービスセルがプライマリサービスセルである場合、前記UEがFDDサービスセル及びTDDサービスセルに対して、いずれもFDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルがプライマリサービスセルである場合、前記UEがFDDサービスセル及びTDDサービスセルに対して、それぞれのサービスセルに対応するPDSCH及びHARQ-ACKタイミング関係に応じて、確定されたアップリンクサブフレームに対応するPUCCH又はPUSCHにおいて送信する必要があるHARQ-ACKを確定させることである請求項2に記載の方法。
【請求項４】
前記HARQ-ACKが1つのサービスセルのPDSCHに対応する場合、前記UEは確定されたアップリンクサブフレームにおいてPUCCHフォーマット1a/1bを用いて前記HARQ-ACKを送信する請求項3に記載の方法。
【請求項５】
前記UEは確定されたアップリンクサブフレームに対応するPUCCHにおいて前記HARQ-ACKを送信し且つ設定された送信方式はPUCCHフォーマット1bに基づくチャネルセレクションである場合、
TDDシステムに対応するマッピングテーブルを使用する規則、
Mに基づいて対応するマッピングテーブルを選択し、M＞＝2の場合、従来のTDDシステムに対応するマッピングテーブルを使用し、M＝1の場合、従来のFDDシステムに対応するマッピングテーブルを使用する規則、
M値及びプライマリサービスセルに基づいて対応するマッピングテーブルを選択し、M＞＝2の場合、従来のTDDシステムに対応するマッピングテーブルを使用し、M＝1の場合、FDDサービスセルがプライマリサービスセルである時に、従来のFDDシステムに対応するマッピングテーブルを使用し、TDDサービスセルがプライマリサービスセルである時に、従来のTDDシステムに対応するマッピングテーブルを使用する規則、のうちのいずれか１つの規則に応じてPUCCHフォーマット1bに基づくチャネルに用いるマッピングテーブルを選択する請求項3に記載の方法。
【請求項６】
前記Mはmax{MTDD,MFDD}であり、MFDDはFDDサービスセルが前記タイミング関係に応じて確定したバインディングウィンドウ内のダウンリンクサブフレームの個数であり、MFDD＝1の場合、MTDDはTDDサービスセルが前記タイミング関係に応じて確定したバインディングウィンドウ内のダウンリンクサブフレームの個数であり、前記HARQ-ACKがFDDサービスセルのPDSCHのみに対応する場合、MTDD＝0である請求項5に記載の方法。
【請求項７】
前記UEは確定されたアップリンクサブフレームに対応するPUCCHにおいて前記HARQ-ACKを送信し且つ設定された送信方式はPUCCHフォーマット3である場合、
前記HARQ-ACKが1つのサービスセルのPDSCHに対応する場合、前記UEはPUCCHフォーマット1a/1bで前記HARQ-ACKを送信し、
前記HARQ-ACKが複数のサービスセルのPDSCHに対応する場合、前記UEは従来のTDDシステムのPUCCHフォーマット3の送信方式で前記HARQ-ACKを送信する請求項3に記載の方法。
【請求項８】
前記HARQ-ACKが1つのサービスセルのPDSCHに対応し且つ前記サービスセルがプライマリサービスセルではない場合、前記UEがPUCCHフォーマット1a/1bを送信するために使用されるリソースについては、
HARQ-ACKに対応するサービスセルのPDSCHがプライマリサービスセルによりクロスキャリア・スケジューリングの場合、PUCCHフォーマット1a/1bを送信するために使用されるPUCCHリソースは暗黙マッピング方式で取得され、
HARQ-ACKに対応するサービスセルのPDSCHがプライマリサービスセルによりクロスキャリア・スケジューリングをしない場合、PUCCHフォーマット1a/1bを送信するために使用されるPUCCHリソースは、
ハイヤーレイヤシグナリング設定の方式、又は
ハイヤーレイヤが一つのグループのリソースを設定し、ダウンリンク制御情報（DCI）に対応する伝送電力制御（TPC）により具体的に使用されるリソースを指示する方式、又は
ハイヤーレイヤが一つのグループのリソースを設定し、強化された物理ダウンリンク制御チャネル（E-PDCCH）に対応する応答/非応答（ACK/NACK）リソースオフセット（ARO）により具体的に使用されるリソースを指示する方式、のうちの一種で取得される請求項4又は7に記載の方法。
【請求項９】
周波数分割複信（FDD）サービスセルと時分割複信（TDD）サービスセルがアグリゲーションされた場合、プリセットの規則に応じて、アップリンク制御情報を伝送するアップリンクサブフレームがFDDサービスセルのアップリンクサブフレーム及び/又はTDDサービスセルのアップリンクサブフレームであることを確定するように設定される第一ユニット、
確定されたアップリンク制御情報を伝送するアップリンクサブフレームにおいてアップリンク制御情報を送信するように設定される第二ユニットを含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信される場合、前記UEはTDDサービスセルのアップリンクサブフレームにおいてアップリンク制御情報を送信すること、
プライマリサービスセルはTDDサービスセルであり、サブフレームNはFDDサービスセルのアップリンクサブフレームのみを有し、且つサブフレームNにおいてアップリンク制御情報が送信される場合、前記UEはFDDサービスセルのアップリンクサブフレームにおいてアップリンク制御情報を送信すること、
プライマリサービスセルはTDDサービスセルであり、サブフレームNはTDDサービスセルのアップリンクサブフレームのみを有し、且つサブフレームNにおいてアップリンク制御情報が送信される場合、前記UEはTDDサービスセルのアップリンクサブフレームにおいてアップリンク制御情報を送信すること、
プライマリサービスセルがFDDサービスセルである場合、前記UEはFDDサービスセルのアップリンクサブフレームにおいてアップリンク制御情報を送信すること、
シグナリングは前記アップリンク制御情報をFDDサービスセルのアップリンクサブフレーム又はTDDサービスセルのアップリンクサブフレームにおいて送信するように指示すること、
前記アップリンク制御情報はプライマリサービスセルのアップリンクサブフレームにおいて伝送されること、のうちの1種又は複数種を含むユーザ装置。
【請求項１０】
前記第二ユニットは、
確定されたアップリンク制御情報を伝送するアップリンクサブフレームに対応する物理アップリンク制御チャネル（PUCCH）又は物理アップリンク共有チャネル（PUSCH）において前記アップリンク制御情報を伝送するように設定され、
前記アップリンク制御情報は、チャネル状態情報（CSI）、スケジューリング要求（SR）、ハイブリッド自動再送要求情報（HARQ-ACK）のうちの1種又は複数種を含む請求項9に記載のユーザ装置。
【請求項１１】
前記第二ユニットは、前記アップリンク制御情報がHARQ-ACKを含む場合、
FDDサービスセルに対して、FDDサービスセルに対応する物理ダウンリンク共有チャネル（PDSCH）及びHARQ-ACKタイミング関係に応じて、確定されたアップリンクサブフレームに対応するPUCCH又はPUSCHにおいて送信する必要があるHARQ-ACKを確定させ、前記UEがTDDサービスセルに対して、TDDサービスセルに対応するPDSCH及びHARQタイミング関係に応じて、確定されたアップリンクサブフレームに対応するPUCCH又はPUSCHにおいて送信する必要があるHARQ-ACKを確定させ、又は
FDDサービスセルに対して、FDDサービスセルに対応するPDSCHとHARQ-ACKタイミング関係に応じて、確定されたアップリンクサブフレームに対応するPUCCH又はPUSCHにおいて送信する必要があるHARQ-ACKを確定させ、TDDサービスセルに対して、FDDサービスセルに対応するHARQ-ACKタイミング関係に応じて、確定されたアップリンクサブフレームに対応するPUCCH又はPUSCHにおいて送信する必要があるHARQ-ACKを確定させ、又は
FDDサービスセルがプライマリサービスセルである場合、FDDサービスセルとTDDサービスセルに対して、いずれもFDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルがプライマリサービスセルである場合、FDDサービスセルとTDDサービスセルに対して、それぞれのサービスセルに対応するPDSCH及びHARQ-ACKタイミング関係に応じて、確定されたアップリンクサブフレームに対応するPUCCH又はPUSCHにおいて送信する必要があるHARQ-ACKを確定させるように設定される請求項10に記載のユーザ装置。
【請求項１２】
前記第二ユニットは、
前記HARQ-ACKが1つのサービスセルのPDSCHに対応する場合、確定されたアップリンクサブフレームにおいてPUCCHフォーマット1a/1bで前記HARQ-ACKを送信するように設定される請求項11に記載のユーザ装置。
【請求項１３】
前記第二ユニットは、確定されたアップリンクサブフレームに対応するPUCCHにおいて前記HARQ-ACKを送信し且つ設定された送信方式がPUCCHフォーマット1bに基づくチャネルセレクションである場合、
TDDシステムに対応するマッピングテーブルを使用する規則、
Mに基づいて対応するマッピングテーブルを選択し、M＞＝2の場合、従来のTDDシステムに対応するマッピングテーブルを使用し、M＝1の場合、従来のFDDシステムに対応するマッピングテーブルを使用する規則、
M値及びプライマリサービスセルに基づいて対応するマッピングテーブルを選択し、M＞＝2の場合、従来のTDDシステムに対応するマッピングテーブルを使用し、M＝1の場合、FDDサービスセルがプライマリサービスセルである時に、従来のFDDシステムに対応するマッピングテーブルを使用し、TDDサービスセルがプライマリサービスセルである場合、従来のTDDシステムに対応するマッピングテーブルを使用する規則、のいずれかの一種に応じて、PUCCHフォーマット1bに基づくチャネルに用いるマッピングテーブルを選択するように設定される請求項11に記載のユーザ装置。
【請求項１４】
前記第二ユニットは、
前記Mはmax{MTDD,MFDD}であり、MFDDはFDDサービスセルが前記タイミング関係に応じて確定したバインディングウィンドウ内のダウンリンクサブフレームの個数であり、MFDD＝1の場合、MTDDはTDDサービスセルが前記タイミング関係に応じて確定したバインディングウィンドウ内のダウンリンクサブフレームの個数であり、前記HARQ-ACKがFDDサービスセルのPDSCHのみに対応する場合、MTDD＝0であるように設定される請求項13に記載のユーザ装置。 
【請求項１５】
前記第二ユニットは、確定されたアップリンクサブフレームに対応するPUCCHにおいて前記HARQ-ACKを送信し且つ設定された送信方式がPUCCHフォーマット3である場合、
前記HARQ-ACKが1つのサービスセルのPDSCHに対応する場合、前記第二ユニットがPUCCHフォーマット1a/1bで前記HARQ-ACKを送信し、
前記HARQ-ACKが複数のサービスセルのPDSCHに対応する場合、前記第二ユニットが従来のTDDシステムのPUCCHフォーマット3の送信方式で前記HARQ-ACKを送信するように設定される請求項11に記載のユーザ装置。
【請求項１６】
前記第二ユニットは、
前記HARQ-ACKが1つのサービスセルのPDSCHに対応し且つ前記サービスセルがプライマリサービスセルではない場合、PUCCHフォーマット1a/1bを送信するために使用されるリソースについては、
HARQ-ACKに対応するサービスセルのPDSCHがプライマリサービスセルによりクロスキャリア・スケジューリングの場合、PUCCHフォーマット1a/1bを送信するために使用されるPUCCHリソースは暗黙マッピング方式で取得され、
HARQ-ACKに対応するサービスセルのPDSCHがプライマリサービスセルによりクロスキャリア・スケジューリングをしない場合、PUCCHフォーマット1a/1bを送信するために使用されるPUCCHリソースは、
ハイヤーレイヤシグナリング設定の方式、又は
ハイヤーレイヤが一つのグループのリソースを設定し、ダウンリンク制御情報（DCI）に対応する伝送出力制御（TPC）により具体的に使用されるリソースを指示する方式、又は
ハイヤーレイヤが一つのグループのリソースを設定し、強化された物理ダウンリンク制御チャネル（E-PDCCH）に対応する応答/非応答（ACK/NACK）リソースオフセット（ARO）により具体的に使用されるリソースを指示する方式で取得されるように設定される請求項12又は15に記載のユーザ装置。
【請求項１７】
周波数分割複信（FDD）サービスセルと時分割複信（TDD）サービスセルがアグリゲーションされた場合、プリセットの規則に応じて、アップリンク制御情報を伝送するアップリンクサブフレームがFDDサービスセルのアップリンクサブフレーム及び/又はTDDサービスセルのアップリンクサブフレームであることを確定するように設定される第一ユニット、
確定されたアップリンク制御情報を伝送するアップリンクサブフレームにおいてアップリンク制御情報を受信するように設定される第二ユニットを含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信される場合、TDDサービスセルのアップリンクサブフレームにおいてアップリンク制御情報を受信すること、
プライマリサービスセルはTDDサービスセルであり、サブフレームNはFDDサービスセルのアップリンクサブフレームのみを有し、且つサブフレームNにおいてアップリンク制御情報が送信される場合、FDDサービスセルのアップリンクサブフレームにおいてアップリンク制御情報を受信すること、
プライマリサービスセルはTDDサービスセルであり、サブフレームNはTDDサービスセルのアップリンクサブフレームのみを有し、且つサブフレームNにおいてアップリンク制御情報が送信される場合、TDDサービスセルのアップリンクサブフレームにおいてアップリンク制御情報を受信すること、
プライマリサービスセルがFDDサービスセルである場合、FDDサービスセルのアップリンクサブフレームにおいてアップリンク制御情報を受信すること、
シグナリングは前記アップリンク制御情報をFDDサービスセルのアップリンクサブフレーム又はTDDサービスセルのアップリンクサブフレームにおいて伝送するように指示すること、
前記アップリンク制御情報はプライマリサービスセルのアップリンクサブフレームにおいて伝送されること、のうちの1種又は複数種を含む基地局。
【発明の詳細な説明】
【技術分野】
【０００１】
本発明は無線通信技術に関し、特にアップリンク制御情報の送信方法、ユーザ装置及び基地局に関する。
【背景技術】
【０００２】
ロングタームエボリューション（LTE、Long Term Evolution）システムと高級ロングタームエボリューション（LTE-A：LTE-Advanced）システムにおける無線フレーム（radio frame）は、周波数分割複信（FDD、Frequency Division Duplex）モードと時分割複信（TDD、Time Division Duplex）モードのフレーム構成を含む。図1は関連するLTE/LTE-A FDDシステムにおけるフレーム構成の模式図であり、図1に示されるように、１つの10ミリ秒（ms）の無線フレームは長さが0.5ms、番号が0〜19の20個のスロット（slot）からなり、スロット2iと2i+1は長さが1msのサブフレーム（subframe）iを構成する。図2は関連するLTE/LTE-A TDDシステムにおけるフレーム構成の模式図であり、１つの10msの無線フレームは長さが5msの2つのハーフフレーム（half frame）で構成され、１つのハーフフレームは長さが1msのサブフレームを5つ含み、サブフレームiは2つの長さが0.5msのスロット2iと2i+1として定義される。
【０００３】
上記2種のフレーム構成において、ノーマルサイクルプレフィックス（Normal Cyclic Prefix）の場合、１つのスロットは長さが66.7マイクロ秒（us）の符号を7つ含み、そのうち、一番目の符号のCP長さが5.21usであり、残りの6つの符号のCP長さが4.69 usであり、拡張サイクルプレフィックス（Extended CP、Extended Cyclic Prefix）の場合、１つのスロットは6つの符号を含み、すべての符号のCP長さがいずれも16.67 usである。サポートするアップ・ダウンリンク構成は表1に示される。
【０００４】
2016531490.tif 000003
【０００５】
１つの無線フレームにおける各サブフレームに対して、「D」はダウンリンク伝送専用のサブフレーム、「U」はアップリンク伝送専用のサブフレーム、「S」は特殊なサブフレームを示し、それはダウンリンクパイロットタイムスロット（DwPTS、Downlink Pilot Time Slot）、保護期間（GP、Guard Period）及びアップリンクパイロットタイムスロット（UpPTS、Uplink Pilot Time Slot）の三つの部分を含む。
【０００６】
LTEシステムにおいて、HARQプロセスとは、送信端においてデータを伝送しようとすると、受信端がダウンリンクシグナリングにより送信端へ伝送時に必要な情報、例えば周波数領域リソースとパケット情報等を割り当てる。送信端はこれらの情報に基づいてデータを送信し、同時に再伝送を行うようにデータを自分のキャッシュメモリに保存し、受信端がデータを受けた後に検査し、データが正確に受信されると、応答（ACK：Acknowledged）を送信端に送信し、送信端がACKを受信した後に今回の伝送に使用されるキャッシュメモリをクリアし、今回の伝送を終了する。データが正確に受信されていないと、非応答（NACK：Non-acknowledged）を送信端に送信し、且つ正確に受信されていないパケットを受信端のキャッシュメモリに保存し、送信端がNACK情報を受信した後、自分のキャッシュメモリからデータを抽出し、対応したサブフレームと対応した周波数領域の位置で特定のパケットフォーマットで再伝送を行う。受信端は再伝送されたパケットを受信した後、前の正確に受信されていないパケットとビニングして、再び検査し、次にデータが正確に受信され又は伝送回数が最大伝送回数閾値を超えるまで上記過程を繰り返す。
【０００７】
LTE /LTE-Aシステムにおいて、ダウンリンクHARQにおけるPDSCHスケジューリングタイミングについて下記のように規定され、即ちダウンリンクHARQのスケジューリングについて、UEがサブフレームnにおいてPDCCHを検査し、且つPDCCHの情報に基づいて現在のサブフレームのPDSCHを解析するように規定される。
【０００８】
LTE/LTE-A FDDシステムにおいて、ダウンリンクHARQにおいてPDSCHのHARQ-ACKに対応するPUCCHを送信することについて下記のようなタイミング規則があり、即ちダウンリンクHARQのタイミング関係について、UEがサブフレームnにおいてPDSCH伝送を検査し又はダウンリンクSPS releaseのPDCCHを指示し、サブフレームn+4において対応するHARQ-ACKレスポンスを伝送するように規定される。LTE/LTE-A TDD システムにおいて、ダウンリンクHARQのタイミング関係について、UEがサブフレームn-kにおいてPDSCH伝送を検査し又はダウンリンクSPS releaseのPDCCHを指示し、アップリンクサブフレームnにおいて対応するHARQ-ACKレスポンスを伝送するように規定され、なお、kはKに属し、Kの値は表2に示される。
【０００９】
2016531490.tif 000004
【００１０】
LTEシステムでは、FDD（Frequency Division Duplex 周波数分割複信）システムにおいて、アップ・ダウンリンクサブフレームが一対一に対応するため、PDSCHが1つの伝送ブロックのみを持つ場合、UEは1ビットのACK/NACK応答情報をフィードバックする必要があり、PDSCHが2つの伝送ブロックを持つ場合、UEは2ビットのACK/NACK応答情報をフィードバックする必要があり、UEはPUCCH format1a/1bを用いて1/2ビットのACK/NACK応答情報を送信する。TDD（Time Division Duplex時分割複信システム）において、アップ・ダウンリンクサブフレームが一対一に対応しないため、複数のダウンリンクサブフレームに対応するACK/NACK応答情報は1つのアップリンクサブフレームのPUCCHチャネルにおいて送信される必要があり、アップリンクサブフレームに対応するダウンリンクサブフレームセットは「bundling window」を構成する。ACK/NACK応答情報の送信方法として、bundling（バインディング方法）とmultiplexing（multiplexing with channel selection、チャネルセレクション）方法が挙げられ、該バインディング方法の主旨は該アップリンクサブフレームにおいてフィードバックする必要がある各ダウンリンクサブフレームに対応する伝送ブロックのACK/NACK応答情報に対してロジック処理と演算を行い、1つのダウンリンクサブフレームが2つの伝送ブロックを持つ場合、UEは2ビットのACK/NACK応答情報をフィードバックし、各サブフレームが1つの伝送ブロックのみを持つ場合、UEは1ビットのACK/NACK応答情報をフィードバックする必要があり、UEはPUCCH format 1a/1bを用いて上記1/2ビットのACK/NACK応答メッセージを送信することであり、該multiplexing方法の主旨は異なるPUCCHチャネルと該チャネルにおける異なる変調シンボルを用いて該アップリンクサブフレームにおいてフィードバックする必要があるダウンリンクサブフレームの異なるフィードバック状態を示し、ダウンリンクサブフレームにおいて複数の伝送ブロックがあると、先ずダウンリンクサブフレームの複数の伝送ブロックがフィードバックするACK/NACKに対してロジック処理と（spatial bundling）を行った後にチャネルセレクションを行い、UEはformat 1b with channel selection（フォーマット1bに基づくチャネルセレクション）を用いてACK/NACK応答メッセージを送信することである。
【００１１】
LTEシステムに比べて、LTE-Aシステムは、LTE-Aシステムにキャリアアグリゲーション技術を導入し、即ちLTEシステムの帯域幅をアグリゲーションすることでより大きい帯域幅を実現することを最大の特徴とする。キャリアアグリゲーションを導入したシステムにおいて、アグリゲーションするキャリアはコンポーネントキャリア（Component Carrier、CCと略称する）と呼ばれ、サービスセル（Serving Cell）とも呼ばれる。また、プライマリコンポーネントキャリア/セル（Primary Component Carrier/Cell、PCC/PCellと略称する）とセカンダリコンポーネントキャリア/セル（Secondary Component Carrier/Cell、SCC/SCellと略称する）の概念を更に提案する。キャリアアグリゲーションを行うシステムにおいて、少なくとも1つのプライマリサービスセルとセカンダリサービスセルを含み、プライマリサービスセルは始終アクティベーション状態であり、且つPUCCHがPcellのみにおいて伝送されるように規定する。
【００１２】
LTE-Aキャリアアグリゲーションシステムでは、HARQ-ACK応答メッセージがPUCCHにおいて送信された場合、PUCCH format 1bに基づくチャネルセレクション（Format 1b with channel selection）とPUCCHフォーマット3（PUCCH format 3）の2種の送信方式が定義される。複数のサービスセルを設定したUEの場合、UEが多くとも2つのサービスセルのアグリゲーションをサポートすると、前記UEが複数のサービスセルを設定すれば、前記UEはPUCCH format 1bに基づくチャネルセレクションの方式を用いてHARQ-ACKを送信し、前記UEが2つを超えるサービスセルのアグリゲーションをサポートできると、前記UEが複数のサービスセルを設定すれば、基地局は更にハイヤーレイヤシグナリングにより前記UEがPUCCH format 1bに基づくチャネルセレクションの方式を用いるか又はPUCCH format 3を用いてHARQ-ACK応答情報を送信するように設定する。
【００１３】
関連するキャリアアグリゲーション技術は、FDDサービスセル又はTDDサービスセルのみに応用せず、後続バージョンでは、FDDサービスセルとTDDサービスセルを考え、FDDサービスセルとTDDサービスセルがアグリゲーションされた場合、どのようにアップリンク制御情報を送信するかは早急に解決しなければならない問題の一つであり、この問題を解決できないと、FDDサービスセルとTDDサービスセルのアグリゲーションが実現できない。
【発明の概要】
【発明が解決しようとする課題】
【００１４】
本発明が解決しようとする技術的問題は、アップリンク制御情報の送信方法、ユーザ装置及び基地局を提供し、FDDサービスセルとTDDサービスセルをアグリゲーションする時のアップリンク制御情報の送信問題を解決することである。
【課題を解決するための手段】
【００１５】
前記技術的問題を解決するために、本発明はアップリンク制御情報の送信方法を開示し、周波数分割複信（FDD）サービスセルと時分割複信（TDD）サービスセルがアグリゲーションされた場合、ユーザ装置（UE）がプリセットの規則に応じて、FDDサービスセルのアップリンクサブフレーム及び/又はTDDサービスセルのアップリンクサブフレームにおいてアップリンク制御情報を送信することを含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信された場合、前記UEはTDDサービスセルのアップリンクサブフレームにおいてアップリンク制御情報を送信すること、
プライマリサービスセルはTDDサービスセルであり、サブフレームNはFDDサービスセルのアップリンクサブフレームのみを有し、且つサブフレームNにおいてアップリンク制御情報が送信された場合、前記UEはFDDサービスセルのアップリンクサブフレームにおいてアップリンク制御情報を送信すること、
プライマリサービスセルはTDDサービスセルであり、サブフレームNはTDDサービスセルのアップリンクサブフレームのみを有し、且つサブフレームNにおいてアップリンク制御情報が送信された場合、前記UEはTDDサービスセルのアップリンクサブフレームにおいてアップリンク制御情報を送信すること、
プライマリサービスセルがFDDサービスセルである場合、前記UEはFDDサービスセルのアップリンクサブフレームにおいてアップリンク制御情報を送信すること、
シグナリングは前記アップリンク制御情報をFDDサービスセルのアップリンクサブフレーム又はTDDサービスセルのアップリンクサブフレームにおいて送信するように指示すること、
前記アップリンク制御情報はプライマリサービスセルのアップリンクサブフレームにおいて伝送されること、のうちの1種又は複数種を含む。
【００１６】
選択的に、前記前記方法において、前記UEがプリセットの規則に応じて、FDDサービスセルのアップリンクサブフレーム及び/又はTDDサービスセルのアップリンクサブフレームにおいてアップリンク制御情報を送信する過程は、
前記UEがプリセットの規則に応じて、アップリンク制御情報を伝送するアップリンクサブフレームがFDDサービスセルのアップリンクサブフレーム及び/又はTDDサービスセルのアップリンクサブフレームであることを確定し、確定されたアップリンクサブフレームに対応する物理アップリンク制御チャネル（PUCCH）又は物理アップリンク共有チャネル（PUSCH）において前記アップリンク制御情報を伝送することであり、
前記アップリンク制御情報は、チャネル状態情報（CSI）、スケジューリング要求（SR）、ハイブリッド自動再送要求情報（HARQ-ACK）のうちの1種又は複数種を含む。
【００１７】
選択的に、前記方法において、前記UEは確定されたアップリンクサブフレームに対応するPUCCH又はPUSCHにおいてHARQ-ACKを送信する場合、アップリンク制御情報を送信する過程は、
前記UEはFDDサービスセルに対して、FDDサービスセルに対応する物理ダウンリンク共有チャネル（PDSCH）及びHARQ-ACKタイミング関係に応じて、確定されたアップリンクサブフレームに対応するPUCCH又はPUSCHにおいて送信する必要があるHARQ-ACKを確定させ、前記UEはTDDサービスセルに対して、TDDサービスセルに対応するPDSCH及びHARQタイミング関係に応じて、確定されたアップリンクサブフレームに対応するPUCCH又はPUSCHにおいて送信する必要があるHARQ-ACKを確定させること、又は
前記UEはFDDサービスセルに対して、FDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、前記UEはTDDサービスセルに対して、FDDサービスセルに対応するHARQ-ACKタイミング関係に応じて、確定されたアップリンクサブフレームに対応するPUCCH又はPUSCHにおいて送信する必要があるHARQ-ACKを確定させること、又は
FDDサービスセルがプライマリサービスセルである場合、前記UEはFDDサービスセル及びTDDサービスセルに対して、いずれもFDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルがプライマリサービスセルである場合、前記UEはFDDサービスセル及びTDDサービスセルに対して、それぞれのサービスセルに対応するPDSCH及びHARQ-ACKタイミング関係に応じて、確定されたアップリンクサブフレームに対応するPUCCH又はPUSCHにおいて送信する必要があるHARQ-ACKを確定させることである。
【００１８】
選択的に、前記方法において、前記HARQ-ACKが1つのサービスセルのPDSCHに対応する場合、前記UEは確定されたアップリンクサブフレームにおいてPUCCHフォーマット1a/1bを用いて前記HARQ-ACKを送信する。
【００１９】
選択的に、前記方法において、前記UEは確定されたアップリンクサブフレームに対応するPUCCHにおいて前記HARQ-ACKを送信し且つ設定された送信方式はPUCCHフォーマット1bに基づくチャネルセレクションである場合、
TDDシステムに対応するマッピングテーブルを使用する規則、
Mに基づいて対応するマッピングテーブルを選択し、M＞＝2の場合、従来のTDDシステムに対応するマッピングテーブルを使用し、M＝1の場合、従来のFDDシステムに対応するマッピングテーブルを使用する規則、
M値及びプライマリサービスセルに基づいて対応するマッピングテーブルを選択し、M＞＝2の場合、従来のTDDシステムに対応するマッピングテーブルを使用し、M＝1の場合、FDDサービスセルがプライマリサービスセルであると、従来のFDDシステムに対応するマッピングテーブルを使用し、TDDサービスセルがプライマリサービスセルであると、従来のTDDシステムに対応するマッピングテーブルを使用する規則、のうちのいずれかの規則に応じてPUCCHフォーマット1bに基づくチャネルに用いるマッピングテーブルを選択する。
【００２０】
選択的に、前記方法において、前記Mはmax{MTDD,MFDD}であり、MFDDはFDDサービスセルが前記タイミング関係に応じて確定したバインディングウィンドウ内のダウンリンクサブフレームの個数であり、MFDD＝1の場合、MTDDはTDDサービスセルが前記タイミング関係に応じて確定したバインディングウィンドウ内のダウンリンクサブフレームの個数であり、前記HARQ-ACKがFDDサービスセルのPDSCHのみに対応する場合、MTDD＝0である。 
【００２１】
選択的に、前記方法において、前記UEは確定されたアップリンクサブフレームに対応するPUCCHにおいて前記HARQ-ACKを送信し且つ設定された送信方式はPUCCHフォーマット3である場合、
前記HARQ-ACKが1つのサービスセルのPDSCHに対応する場合、前記UEはPUCCHフォーマット1a/1bで前記HARQ-ACKを送信し、
前記HARQ-ACKが複数のサービスセルのPDSCHに対応する場合、前記UEは従来のTDDシステムのPUCCHフォーマット3の送信方式で前記HARQ-ACKを送信する。
【００２２】
選択的に、前記方法において、前記HARQ-ACKが1つのサービスセルのPDSCHに対応し且つ前記サービスセルがプライマリサービスセルではない場合、前記UEがPUCCHフォーマット1a/1bを送信するために使用されるリソースについては、
HARQ-ACKに対応するサービスセルのPDSCHがプライマリサービスセルによりクロスキャリア・スケジューリングの場合、PUCCHフォーマット1a/1bを送信するために使用されるPUCCHリソースは暗黙マッピング方式で取得され、
HARQ-ACKに対応するサービスセルのPDSCHがプライマリサービスセルによりクロスキャリア・スケジューリングをしない場合、PUCCHフォーマット1a/1bを送信するために使用されるPUCCHリソースは、
ハイヤーレイヤシグナリング設定の方式、又は
ハイヤーレイヤが一つのグループのリソースを設定し、ダウンリンク制御情報（DCI）に対応する伝送出力制御（TPC）により具体的に使用されるリソースを指示する方式、又は
ハイヤーレイヤが一つのグループのリソースを設定し、強化された物理ダウンリンク制御チャネル（E-PDCCH）に対応する応答/非応答（ACK/NACK）リソースオフセット（ARO）により具体的に使用されるリソースを指示する方式、のうちの一種により取得される。
【００２３】
本発明は更にユーザ装置を開示し、
周波数分割複信（FDD）サービスセルと時分割複信（TDD）サービスセルがアグリゲーションされた場合、プリセットの規則に応じて、アップリンク制御情報を伝送するアップリンクサブフレームがFDDサービスセルのアップリンクサブフレーム及び/又はTDDサービスセルのアップリンクサブフレームであることを確定するように設定される第一ユニット、
確定されたアップリンク制御情報を伝送するアップリンクサブフレームにおいてアップリンク制御情報を送信するように設定される第二ユニットを含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信された場合、前記UEはTDDサービスセルのアップリンクサブフレームにおいてアップリンク制御情報を送信すること、
プライマリサービスセルはTDDサービスセルであり、サブフレームNはFDDサービスセルのアップリンクサブフレームのみを有し、且つサブフレームNにおいてアップリンク制御情報が送信された場合、前記UEはFDDサービスセルのアップリンクサブフレームにおいてアップリンク制御情報を送信すること、
プライマリサービスセルはTDDサービスセルであり、サブフレームNはTDDサービスセルのアップリンクサブフレームのみを有し、且つサブフレームNにおいてアップリンク制御情報が送信された場合、前記UEはTDDサービスセルのアップリンクサブフレームにおいてアップリンク制御情報を送信すること、
プライマリサービスセルがFDDサービスセルである場合、前記UEはFDDサービスセルのアップリンクサブフレームにおいてアップリンク制御情報を送信すること、
シグナリングは前記アップリンク制御情報をFDDサービスセルのアップリンクサブフレーム又はTDDサービスセルのアップリンクサブフレームにおいて送信するように指示すること、
前記アップリンク制御情報はプライマリサービスセルのアップリンクサブフレームにおいて伝送されること、のうちの1種又は複数種を含む。
【００２４】
選択的に、前記ユーザ装置において、前記第二ユニットは、確定されたアップリンク制御情報を伝送するアップリンクサブフレームに対応する物理アップリンク制御チャネル（PUCCH）又は物理アップリンク共有チャネル（PUSCH）において前記アップリンク制御情報を伝送するように設定され、
前記アップリンク制御情報は、チャネル状態情報（CSI）、スケジューリング要求（SR）、ハイブリッド自動再送要求情報（HARQ-ACK）のうちの1種又は複数種を含む。
【００２５】
選択的に、前記ユーザ装置において、前記第二ユニットは、前記アップリンク制御情報がHARQ-ACKを含む場合、
FDDサービスセルに対して、FDDサービスセルに対応する物理ダウンリンク共有チャネル（PDSCH）及びHARQ-ACKタイミング関係に応じて、確定されたアップリンクサブフレームに対応するPUCCH又はPUSCHにおいて送信する必要があるHARQ-ACKを確定させ、前記UEはTDDサービスセルに対して、TDDサービスセルに対応するPDSCH及びHARQタイミング関係に応じて、確定されたアップリンクサブフレームに対応するPUCCH又はPUSCHにおいて送信する必要があるHARQ-ACKを確定させ、又は
FDDサービスセルに対して、FDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルに対して、FDDサービスセルに対応するHARQ-ACKタイミング関係に応じて、確定されたアップリンクサブフレームに対応するPUCCH又はPUSCHにおいて送信する必要があるHARQ-ACKを確定させ、又は
FDDサービスセルがプライマリサービスセルである場合、FDDサービスセル及びTDDサービスセルに対して、いずれもFDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルがプライマリサービスセルである場合、FDDサービスセルとTDDサービスセルに対して、それぞれのサービスセルに対応するPDSCH及びHARQ-ACKタイミング関係に応じて、確定されたアップリンクサブフレームに対応するPUCCH又はPUSCHにおいて送信する必要があるHARQ-ACKを確定させるように設定される。
【００２６】
選択的に、前記ユーザ装置において、前記第二ユニットは、前記HARQ-ACKが1つのサービスセルのPDSCHに対応する場合、確定されたアップリンクサブフレームにおいてPUCCHフォーマット1a/1bで前記HARQ-ACKを送信するように設定される。
【００２７】
選択的に、前記ユーザ装置において、前記第二ユニットは、確定されたアップリンクサブフレームに対応するPUCCHにおいて前記HARQ-ACKを送信し且つ設定された送信方式がPUCCHフォーマット1bに基づくチャネルセレクションである場合、                
TDDシステムに対応するマッピングテーブルを使用する規則、
Mに基づいて対応するマッピングテーブルを選択し、M＞＝2の場合、従来のTDDシステムに対応するマッピングテーブルを使用し、M＝1の場合、従来のFDDシステムに対応するマッピングテーブルを使用する規則、
M値及びプライマリサービスセルに基づいて対応するマッピングテーブルを選択し、M＞＝2の場合、従来のTDDシステムに対応するマッピングテーブルを使用し、M＝1の場合、FDDサービスセルがプライマリサービスセルである場合、従来のFDDシステムに対応するマッピングテーブルを使用し、TDDサービスセルがプライマリサービスセルである場合、従来のTDDシステムに対応するマッピングテーブルを使用する規則、のうちのいずれかの規則に応じてPUCCHフォーマット1bに基づくチャネルに用いるマッピングテーブルを選択するように設定される。
【００２８】
選択的に、前記ユーザ装置において、前記第二ユニットは、前記Mはmax{MTDD,MFDD}であり、MFDDはFDDサービスセルが前記タイミング関係に応じて確定したバインディングウィンドウ内のダウンリンクサブフレームの個数であり、MFDD＝1の場合、MTDDはTDDサービスセルが前記タイミング関係に応じて確定したバインディングウィンドウ内のダウンリンクサブフレームの個数であり、前記HARQ-ACKがFDDサービスセルのPDSCHのみに対応する場合、MTDD＝0であるように設定される。
【００２９】
選択的に、前記ユーザ装置において、前記第二ユニットは、確定されたアップリンクサブフレームに対応するPUCCHにおいて前記HARQ-ACKを送信し且つ設定される送信方式がPUCCHフォーマット3である場合、
前記HARQ-ACKが1つのサービスセルのPDSCHに対応する場合、前記第二ユニットはPUCCHフォーマット1a/1bで前記HARQ-ACKを送信し、
前記HARQ-ACKが複数のサービスセルのPDSCHに対応する場合、前記第二ユニットは従来のTDDシステムのPUCCHフォーマット3の送信方式で前記HARQ-ACKを送信するように設定される。
【００３０】
選択的に、前記ユーザ装置において、前記第二ユニットは、前記HARQ-ACKが1つのサービスセルのPDSCHに対応し且つ前記サービスセルがプライマリサービスセルではない場合、PUCCHフォーマット1a/1bを送信するために使用されるリソースについては、
HARQ-ACKに対応するサービスセルのPDSCHはプライマリサービスセルによりクロスキャリア・スケジューリングをすると、PUCCHフォーマット1a/1bを送信するために使用されるPUCCHリソースは暗黙マッピング方式で取得され、
HARQ-ACKに対応するサービスセルのPDSCHがプライマリサービスセルによりクロスキャリア・スケジューリングをしない場合、PUCCHフォーマット1a/1bを送信するために使用されるPUCCHリソースは、
ハイヤーレイヤシグナリング設定の方式、又は
ハイヤーレイヤが一つのグループのリソースを設定し、ダウンリンク制御情報（DCI）に対応する伝送出力制御（TPC）により具体的に使用されるリソースを指示する方式、又は
ハイヤーレイヤが一つのグループのリソースを設定し、強化された物理ダウンリンク制御チャネル（E-PDCCH）に対応する応答/非応答（ACK/NACK）リソースオフセット（ARO）により具体的に使用されるリソースを指示する方式により取得されるように設定される。
【００３１】
本発明は更に基地局を開示し、
周波数分割複信（FDD）サービスセルと時分割複信（TDD）サービスセルがアグリゲーションされた場合、プリセットの規則に応じて、アップリンク制御情報を伝送するアップリンクサブフレームがFDDサービスセルのアップリンクサブフレーム及び/又はTDDサービスセルのアップリンクサブフレームであることを確定するように設定される第一ユニット、
確定されたアップリンク制御情報を伝送するアップリンクサブフレームにおいてアップリンク制御情報を受信するように設定される第二ユニットを含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信された場合、TDDサービスセルのアップリンクサブフレームにおいてアップリンク制御情報を受信すること、
プライマリサービスセルはTDDサービスセルであり、サブフレームNはFDDサービスセルのアップリンクサブフレームのみを有し、且つサブフレームNにおいてアップリンク制御情報が送信された場合、FDDサービスセルのアップリンクサブフレームにおいてアップリンク制御情報を受信すること、
プライマリサービスセルはTDDサービスセルであり、サブフレームNはTDDサービスセルのアップリンクサブフレームのみを有し、且つサブフレームNにおいてアップリンク制御情報が送信された場合、TDDサービスセルのアップリンクサブフレームにおいてアップリンク制御情報を受信すること、
プライマリサービスセルがFDDサービスセルである場合、FDDサービスセルのアップリンクサブフレームにおいてアップリンク制御情報を受信すること、
シグナリングは前記アップリンク制御情報をFDDサービスセルのアップリンクサブフレーム又はTDDサービスセルのアップリンクサブフレームにおいて伝送するように指示すること、
前記アップリンク制御情報はプライマリサービスセルのアップリンクサブフレームにおいて伝送されること、のうちの1種又は複数種を含む。
【発明の効果】
【００３２】
本願の技術的解決手段はFDDサービスセルとTDDサービスセルがアグリゲーションされる時のアップリンク制御情報の送信問題を解決できる。
【図面の簡単な説明】
【００３３】
【図１】図1は関連技術によるFDDシステム中のフレーム構成の模式図である。
【図２】図2は関連技術によるTDDシステム中のフレーム構成の模式図である。
【図３（ａ）】図3(a)は実施例1中のFDDサービスセルとTDDサービスセル構成0がアグリゲーションされる模式図である。
【図３（ｂ）】図3(b)は実施例2中のFDDサービスセルとTDDサービスセル構成0がアグリゲーションされる模式図である。
【図３（ｃ）】図3(c)は実施例3中のFDDサービスセルとTDDサービスセル構成0がアグリゲーションされる模式図である。
【図４（ａ）】図4(a)は実施例1中のFDDサービスセルとTDDサービスセル構成1がアグリゲーションされる模式図である。
【図４（ｂ）】図4(b)は実施例2中のFDDサービスセルとTDDサービスセル構成1がアグリゲーションされる模式図である。
【図４（ｃ）】図4(c)は実施例3中のFDDサービスセルとTDDサービスセル構成1がアグリゲーションされる模式図である。
【図５（ａ）】図5(a)は実施例1中のFDDサービスセルとTDDサービスセル構成2がアグリゲーションされる模式図である。
【図５（ｂ）】図5(b)は実施例2中のFDDサービスセルとTDDサービスセル構成2がアグリゲーションされる図である。
【図５（ｃ）】図5(c)は実施例4中のFDDサービスセルとTDDサービスセル構成2がアグリゲーションされる模式図である。
【図６（ａ）】図6(a)は実施例1中のFDDサービスセルとTDDサービスセル構成3がアグリゲーションされる模式図である。
【図６（ｂ）】図6(b)は実施例2中のFDDサービスセルとTDDサービスセル構成3がアグリゲーションされる模式図である。
【図６（ｃ）】図6(c)は実施例4中のFDDサービスセルとTDDサービスセル構成3がアグリゲーションされる模式図である。
【図７（ａ）】図7(a)は実施例1中のFDDサービスセルとTDDサービスセル構成4がアグリゲーションされる模式図である。
【図７（ｂ）】図7(b)は実施例2中のFDDサービスセルとTDDサービスセル構成4がアグリゲーションされる模式図である。
【図８（ａ）】図8(a)は実施例1中のFDDサービスセルとTDDサービスセル構成5がアグリゲーションされる模式図である。
【図８（ｂ）】図8(b)は実施例2中のFDDサービスセルとTDDサービスセル構成5がアグリゲーションされる模式図である。
【図９（ａ）】図9(a)は実施例1中のFDDサービスセルとTDDサービスセル構成6がアグリゲーションされる模式図である。
【図９（ｂ）】図9(b)は実施例2中のFDDサービスセルとTDDサービスセル構成6がアグリゲーションされる模式図である。
【図１０】図10はユーザ装置の模式図である。
【発明を実施するための形態】
【００３４】
以下、図面を参照しながら本発明の技術的解決手段を更に詳細に説明する。なお、衝突しない場合、本願の実施例と実施例における特徴を任意に組合わせることができる。
【００３５】
実施例1
本実施例はアップリンク制御情報の送信方法を提供し、
FDDサービスセルとTDDサービスセルがアグリゲーションされた場合、UEはプリセットの規則に応じて、FDDサービスセルのアップリンクサブフレーム及び/又はTDDサービスセルのアップリンクサブフレームにおいてアップリンク制御情報を送信する工程を含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信された場合、前記UEはTDDサービスセルのアップリンクサブフレームにおいてアップリンク制御情報を送信すること、
プライマリサービスセルはTDDサービスセルであり、サブフレームNはFDDサービスセルのアップリンクサブフレームのみを有し、且つサブフレームNにおいてアップリンク制御情報が送信された場合、前記UEはFDDサービスセルのアップリンクサブフレームにおいてアップリンク制御情報を送信すること、
プライマリサービスセルはTDDサービスセルであり、サブフレームNはTDDサービスセルのアップリンクサブフレームのみを有し、且つサブフレームNにおいてアップリンク制御情報が送信された場合、前記UEはTDDサービスセルのアップリンクサブフレームにおいてアップリンク制御情報を送信すること、
プライマリサービスセルがFDDサービスセルである場合、前記UEはFDDサービスセルのアップリンクサブフレームにおいてアップリンク制御情報を送信すること、
シグナリングは前記アップリンク制御情報をFDDサービスセルのアップリンクサブフレーム又はTDDサービスセルのアップリンクサブフレームにおいて送信するように指示すること、
前記アップリンク制御情報はプライマリサービスセルのアップリンクサブフレームにおいて伝送されること、のうちの1種又は複数種を含む。
【００３６】
前記方法において、UEのタイプに応じて複数種のプリセット規則を選択することができる。
【００３７】
好ましくは、UEがアップリンクキャリアのアグリゲーション能力を持たない場合、前記規則は前記アップリンク制御情報がプライマリサービスセルのアップリンクサブフレームにおいて伝送されることである。又は、UEがアップリンクキャリアのアグリゲーション能力を持つ場合、前記規則は、シグナリングが前記アップリンク制御情報をFDDサービスセルのアップリンクサブフレーム又はTDDサービスセルのアップリンクサブフレームにおいて送信するように指示することである。
【００３８】
前記方法において、シグナリングは複数種のプリセット規則を設定する。
【００３９】
好ましくは、シグナリング設定の使用規則は、プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信された場合、前記UEはTDDサービスセルのアップリンクサブフレームにおいてアップリンク制御情報を送信し、
プライマリサービスセルはTDDサービスセルであり、サブフレームNはFDDサービスセルのアップリンクサブフレームのみを有し、且つサブフレームNにおいてアップリンク制御情報が送信された場合、前記UEはFDDサービスセルのアップリンクサブフレームにおいてアップリンク制御情報を送信し、
プライマリサービスセルはTDDサービスセルであり、サブフレームNはTDDサービスセルのアップリンクサブフレームのみを有し、且つサブフレームNにおいてアップリンク制御情報が送信された場合、前記UEはTDDサービスセルのアップリンクサブフレームにおいてアップリンク制御情報を送信し、
プライマリサービスセルがFDDサービスセルである場合、前記UEはFDDサービスセルのアップリンクサブフレームにおいてアップリンク制御情報を送信することである。
【００４０】
前記方法において、UEがプリセットの規則に応じてFDDサービスセルのアップリンクサブフレーム及び/又はTDDサービスセルのアップリンクサブフレームにおいてアップリンク制御情報を送信する過程は、下記操作を参照することができる。
【００４１】
UEはプリセットの規則に応じて、アップリンク制御情報を伝送するアップリンクサブフレームがFDDサービスセルのアップリンクサブフレーム及び/又はTDDサービスセルのアップリンクサブフレームであることを確定し、確定されたアップリンクサブフレームに対応する物理アップリンク制御チャネル（PUCCH）又は物理アップリンク共有チャネル（PUSCH）において前記アップリンク制御情報を伝送し、
前記アップリンク制御
情報は、CSI、SR、HARQ-ACKの一種又は複数種である。
【００４２】
UEは確定されたアップリンクサブフレームに対応するPUCCH又はPUSCHにおいてHARQ-ACKを送信すると、アップリンク制御情報を送信する過程は、
UEはFDDサービスセルに対して、FDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、前記UEはTDDサービスセルに対して、TDDサービスセルに対応するPDSCH及びHARQタイミング関係に応じて、確定されたアップリンクサブフレームに対応するPUCCH又はPUSCHにおいて送信する必要があるHARQ-ACKを確定させること、又は
UEはFDDサービスセルに対して、FDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、前記UEはTDDサービスセルに対して、FDDサービスセルに対応するHARQ-ACKタイミング関係に応じて、確定されたアップリンクサブフレームに対応するPUCCH又はPUSCHにおいて送信する必要があるHARQ-ACKを確定させること、又は
FDDサービスセルがプライマリサービスセルである場合、前記UEはFDDサービスセル及びTDDサービスセルに対して、いずれもFDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルがプライマリサービスセルである場合、前記UEはFDDサービスセル及びTDDサービスセルに対して、それぞれのサービスセルに対応するPDSCH及びHARQ-ACKタイミング関係に応じて、確定されたアップリンクサブフレームに対応するPUCCH又はPUSCHにおいて送信する必要があるHARQ-ACKを確定させることである。
【００４３】
具体的に、HARQ-ACKが1つのサービスセルのPDSCHに対応する場合、UEは確定されたアップリンクサブフレームにおいてPUCCHフォーマット1a/1bで前記HARQ-ACKを送信する。
【００４４】
UEは確定されたアップリンクサブフレームに対応するPUCCHにおいて前記HARQ-ACKを送信し且つ設定される送信方式はPUCCHフォーマット1bに基づくチャネルセレクションである場合、
TDDシステムに対応するマッピングテーブルを使用する規則1、
Mに基づいて対応するマッピングテーブルを選択し、M＞＝2の場合、従来のTDDシステムに対応するマッピングテーブルを使用し、M＝1の場合、従来のFDDシステムに対応するマッピングテーブルを使用する規則2、
M値及びプライマリサービスセルに基づいて対応するマッピングテーブルを選択し、M＞＝2の場合、従来のTDDシステムに対応するマッピングテーブルを使用し、M＝1の場合、FDDサービスセルがプライマリサービスセルである場合、従来のFDDシステムに対応するマッピングテーブルを使用し、TDDサービスセルがプライマリサービスセルである場合、従来のTDDシステムに対応するマッピングテーブルを使用する規則3、のいずれかの規則に応じてPUCCHフォーマット1bに基づくチャネルに用いるマッピングテーブルを選択する。
【００４５】
Mはmax{MTDD,MFDD}であり、MFDDはFDDサービスセルが前記タイミング関係に応じて確定したバインディングウィンドウ内のダウンリンクサブフレームの個数であり、MFDD＝1の場合、MTDDはTDDサービスセルが前記タイミング関係に応じて確定したバインディングウィンドウ内のダウンリンクサブフレームの個数であり、前記HARQ-ACKがFDDサービスセルのPDSCHのみに対応する場合、MTDD＝0である。 
【００４６】
UEは確定されたアップリンクサブフレームに対応するPUCCHにおいて前記HARQ-ACKを送信し且つ設定された送信方式はPUCCHフォーマット3である場合、UEは異なる状況に応じて異なる送信方式を選択する。
【００４７】
例えば、HARQ-ACKが1つのサービスセルのPDSCHに対応する場合、UEはPUCCHフォーマット1a/1bでHARQ-ACKを送信し、
HARQ-ACKが複数のサービスセルのPDSCHに対応する場合、前記UEは従来のTDDシステムPUCCH format3の送信方式でHARQ-ACKを送信する。
【００４８】
HARQ-ACKが1つのサービスセルのPDSCHに対応し且つ該サービスセルはプライマリサービスセルではない場合、UEがPUCCHフォーマット1a/1bを送信するために使用されるリソースについては、
HARQ-ACKに対応するサービスセルのPDSCHがプライマリサービスセルによりクロスキャリア・スケジューリングの場合、PUCCH format1a/1bを送信するために使用されるPUCCHリソースは暗黙マッピング方式で取得され、
HARQ-ACKに対応するサービスセルのPDSCHがプライマリサービスセルによりクロスキャリア・スケジューリングをしない場合、PUCCH format1a/1bを送信するために使用されるPUCCHリソースは、
ハイヤーレイヤシグナリング設定の方式、又は
ハイヤーレイヤが一つのグループのリソースを設定し、DCIに対応するTPCは具体的に使用されるリソースを指示する方式、又は
ハイヤーレイヤが一つのグループのリソースを設定し、E-PDCCHに対応するAROにより具体的に使用されるリソースを指示する方式、の一種により取得される。
【００４９】
以下、具体的な応用実例により本発明を更に説明する。
【００５０】
実例1
TDDサービスセルはプライマリサービスセルであり、TDDサービスセルはTDDサービスセルに対応するPDSCH及びHARQタイミング関係に応じて伝送する必要があるHARQ-ACKを確定し、FDDサービスセルはFDDサービスセルに対応するPDSCH及びHARQタイミング関係に応じて伝送する必要があるHARQ-ACKを確定し、サブフレームNが同時にFDDサービスセルのアップリンクサブフレームとTDDサービスセルのアップリンクサブフレームを有する場合、HARQ-ACKに対応するPUCCHはTDDサービスセルの所在するアップリンクサブフレームにおいて送信し、サブフレームNがFDDサービスセルのアップリンクサブフレームのみを有する場合、HARQ-ACKに対応するPUCCHはFDDサービスセルの所在するアップリンクサブフレームにおいて送信する。
【００５１】
FDDサービスセルとTDDサービスセル構成0がアグリゲーションされた場合、図3(a)に示される。
【００５２】
TDDサービスセルに対して、無線フレーム#nダウンリンクサブフレーム{0}のPDSCHに対応するHARQは、無線フレーム#nのTDDサービスセルのアップリンクサブフレーム{4}において伝送し、無線フレーム#nダウンリンクサブフレーム{1}のPDSCHに対応するHARQは、無線フレーム#nのTDDサービスセルのアップリンクサブフレーム{7}において伝送し、無線フレーム#nダウンリンクサブフレーム{5}は、無線フレーム#nのTDDサービスセルのアップリンクサブフレーム{9}において伝送し、無線フレーム#nダウンリンクサブフレーム{6}は、無線フレーム#n+1のTDDサービスセルのアップリンクサブフレーム{2}において伝送する。
【００５３】
FDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのTDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００５４】
FDDサービスセルとTDDサービスセル構成1がアグリゲーションされた場合、図4(a)に示される。
【００５５】
TDDサービスセルに対して、無線フレーム#nダウンリンクサブフレーム{0,1}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのTDDサービスセルのアップリンクサブフレーム{8}において伝送し、無線フレーム#nダウンリンクサブフレーム{5,6}は無線フレーム#n+1のTDDサービスセルのアップリンクサブフレーム{2}において伝送し、無線フレーム#nダウンリンクサブフレーム{9}は無線フレーム#n+1のTDDサービスセルのアップリンクサブフレーム{3}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのTDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００５６】
FDDサービスセルとTDDサービスセル構成2がアグリゲーションされた場合、図5(a)に示される。
【００５７】
TDDサービスセルに対して、無線フレーム#nダウンリンクサブフレーム{0,1,3}のPDSCHに対応するHARQは無線フレーム#nのTDDサービスセルのアップリンクサブフレーム{7}において伝送し、無線フレーム#nダウンリンクサブフレーム{4,5,6,8}のPDSCHに対応するHARQは無線フレーム#n+1のTDDサービスセルのアップリンクサブフレーム{2}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のFDDサービスセルのアップリンクサブフレーム{3}において伝送する。
【００５８】
FDDサービスセルとTDDサービスセル構成3がアグリゲーションされた場合、図6(a)に示される。
【００５９】
TDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1,5,6}のPDSCHに対応するHARQは無線フレーム#n+1のTDDサービスセルのアップリンクサブフレーム{2}において伝送し、無線フレーム#nダウンリンクサブフレーム{7,8}のPDSCHに対応するHARQは無線フレーム#n+1のTDDサービスセルのアップリンクサブフレーム{3}において伝送し、
FDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００６０】
FDDサービスセルとTDDサービスセル構成4がアグリゲーションされた場合、図7(a)に示される。
【００６１】
TDDサービスセルに対して、無線フレーム#nダウンリンクサブフレーム{0,1,4,5}のPDSCHに対応するHARQは無線フレーム#n+1のTDDサービスセルのアップリンクサブフレーム{2}において伝送し、無線フレーム#nダウンリンクサブフレーム{6,7,8,9}のPDSCHに対応するHARQは無線フレーム#n+1のTDDサービスセルのアップリンクサブフレーム{3}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００６２】
FDDサービスセルとTDDサービスセル構成5がアグリゲーションされた場合、図8(a)に示される。
【００６３】
TDDサービスセルに対して、無線フレーム#n-1ダウンリンクサブフレーム{9}と無線フレーム#nダウンリンクサブフレーム{0,1,3,4,5,6,7,8}のPDSCHに対応するHARQは無線フレーム#n+1のTDDサービスセルのアップリンクサブフレーム{2}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のFDDサービスセルのアップリンクサブフレーム{3}において伝送する。
【００６４】
FDDサービスセルとTDDサービスセル構成6がアグリゲーションされた場合、図9(a)に示される。
【００６５】
TDDサービスセルに対して、無線フレーム#nダウンリンクサブフレーム{0}のPDSCHに対応するHARQは無線フレーム#nのTDDサービスセルのアップリンクサブフレーム{7}において伝送し、無線フレーム#nダウンリンクサブフレーム{1}のPDSCHに対応するHARQは無線フレーム#nのTDDサービスセルのアップリンクサブフレーム{8}において伝送し、無線フレーム#nダウンリンクサブフレーム{5}のPDSCHに対応するHARQは無線フレーム#n+1のTDDサービスセルのアップリンクサブフレーム{2}において伝送し、無線フレーム#nダウンリンクサブフレーム{6}のPDSCHに対応するHARQは無線フレーム#n+1のTDDサービスセルのアップリンクサブフレーム{3}において伝送し、無線フレーム#nダウンリンクサブフレーム{9}のPDSCHに対応するHARQは無線フレーム#n+1のTDDサービスセルのアップリンクサブフレーム{4}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのTDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００６６】
実例2
TDDサービスセルはプライマリサービスセルであり、TDDサービスセルはFDDサービスセルに対応するPDSCHとHARQタイミング関係に応じて伝送する必要があるHARQ-ACKを確定し、FDDサービスセルはFDDサービスセルに対応するPDSCH及びHARQタイミング関係に応じて、伝送する必要があるHARQ-ACKを確定し、サブフレームNが同時にFDDサービスセルのアップリンクサブフレームとTDDサービスセルのアップリンクサブフレームを有する場合、HARQ-ACKに対応するPUCCHはTDDサービスセルの所在するアップリンクサブフレームにおいて送信し、サブフレームNがFDDサービスセルのアップリンクサブフレームのみを有する場合、HARQ-ACKに対応するPUCCHはFDDサービスセルの所在するアップリンクサブフレームにおいて送信する。
【００６７】
FDDサービスセルとTDDサービスセル構成0がアグリゲーションされた場合、図3(b)に示される。
【００６８】
TDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{5}は無線フレーム#nのTDDサービスセルのアップリンクサブフレーム{9}において伝送し、無線フレーム#nダウンリンクサブフレーム{6}は無線フレーム#n+1のFDDサービスセルのアップリンクサブフレーム{0}において伝送し、
FDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのTDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００６９】
FDDサービスセルとTDDサービスセル構成1がアグリゲーションされた場合、図4(b)に示される。
【００７０】
TDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{4}は無線フレーム#nのTDDサービスセルのアップリンクサブフレーム{8}において伝送し、無線フレーム#nダウンリンクサブフレーム{5}のPDSCHに対応するHARQは無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{9}は無線フレーム#n+1のTDDサービスセルのアップリンクサブフレーム{3}において伝送し、
FDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのTDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００７１】
FDDサービスセルとTDDサービスセル構成2がアグリゲーションされた場合、図5(b)に示される。
【００７２】
TDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nダウンリンクサブフレーム{5}のPDSCHに対応するHARQは無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{8}のPDSCHに対応するHARQは無線フレーム#nのTDDサービスセルのアップリンクサブフレーム{2}において伝送し、無線フレーム#nダウンリンクサブフレーム{9}のPDSCHに対応するHARQは無線フレーム#n+1のFDDサービスセルのアップリンクサブフレーム{3}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のFDDサービスセルのアップリンクサブフレーム{3}において伝送する。
【００７３】
FDDサービスセルとTDDサービスセル構成3がアグリゲーションされた場合、図6(b)に示される。
【００７４】
TDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{5}のPDSCHに対応するHARQは無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のTDDサービスセルのアップリンクサブフレーム{1}において伝送し、無線フレーム#nダウンリンクサブフレーム{8}のPDSCHに対応するHARQは無線フレーム#n+1のTDDサービスセルのアップリンクサブフレーム{2}において伝送し、無線フレーム#nダウンリンクサブフレーム{9}のPDSCHに対応するHARQは無線フレーム#n+1のFDDサービスセルのアップリンクサブフレーム{3}において伝送し、
FDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００７５】
FDDサービスセルとTDDサービスセル構成4がアグリゲーションされた場合、図7(b)に示される。
【００７６】
TDDサービスセルに対して、無線フレーム#nダウンリンクサブフレーム{0}のPDSCHに対応するHARQは無線フレーム#nのFDDサービスセルのアップリンクサブフレーム{4}において伝送し、TDDサービスセルに対して、無線フレーム#nダウンリンクサブフレーム{1}のPDSCHに対応するHARQは無線フレーム#nのFDDサービスセルのアップリンクサブフレーム{5}において伝送し、TDDサービスセルに対して、無線フレーム#nダウンリンクサブフレーム{4}のPDSCHに対応するHARQは無線フレーム#nのFDDサービスセルのアップリンクサブフレーム{8}において伝送し、TDDサービスセルに対して、無線フレーム#nダウンリンクサブフレーム{5}のPDSCHに対応するHARQは無線フレーム#nのFDDサービスセルのアップリンクサブフレーム{9}において伝送し、TDDサービスセルに対して、無線フレーム#nダウンリンクサブフレーム{6}のPDSCHに対応するHARQは無線フレーム#n+1のFDDサービスセルのアップリンクサブフレーム{0}において伝送し、TDDサービスセルに対して、無線フレーム#nダウンリンクサブフレーム{7}のPDSCHに対応するHARQは無線フレーム#n+1のFDDサービスセルのアップリンクサブフレーム{1}において伝送し、TDDサービスセルに対して、無線フレーム#nダウンリンクサブフレーム{8}のPDSCHに対応するHARQは無線フレーム#n+1のTDDサービスセルのアップリンクサブフレーム{2}において伝送し、TDDサービスセルに対して、無線フレーム#nダウンリンクサブフレーム{9}のPDSCHに対応するHARQは無線フレーム#n+1のTDDサービスセルのアップリンクサブフレーム{3}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００７７】
FDDサービスセルとTDDサービスセル構成5がアグリゲーションされた場合、図8(b)に示される。
【００７８】
TDDサービスセルに対して、無線フレーム#n-1ダウンリンクサブフレーム{8}のPDSCHに対応するHARQは無線フレーム#nのTDDサービスセルのアップリ
ンクサブフレーム{2}において伝送し、無線フレーム#n-1ダウンリンクサブフレーム{9}のPDSCHに対応するHARQは無線フレーム#nのFDDサービスセルのアップリンクサブフレーム{3}において伝送し、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nダウンリンクサブフレーム{5}のPDSCHに対応するHARQは無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のFDDサービスセルのアップリンクサブフレーム{3}において伝送する。
【００７９】
FDDサービスセルとTDDサービスセル構成6がアグリゲーションされた場合、図9(b)に示される。
【００８０】
TDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{5}のPDSCHに対応するHARQは無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{9}のPDSCHに対応するHARQは無線フレーム#n+1のTDDサービスセルのアップリンクサブフレーム{4}において伝送し、
FDDサービスセルに対して、無線フレーム#nダウンリンクサブフレーム{0}のPDSCHに対応するHARQは無線フレーム#nのTDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのTDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のTDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００８１】
実例3
FDDサービスセルはプライマリサービスセルであり、TDDサービスセルはTDDサービスセルに対応するPDSCH及びHARQタイミング関係に応じて、伝送する必要があるHARQ-ACKを確定し、FDDサービスセルはFDDサービスセルに対応するPDSCH及びHARQタイミング関係に応じて、伝送する必要があるHARQ-ACKを確定し、HARQ-ACKに対応するPUCCHはFDDサービスセルの所在するアップリンクサブフレームにおいて送信する。
【００８２】
FDDサービスセルとTDDサービスセル構成0がアグリゲーションされた場合、図3(c)に示される。
【００８３】
TDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{7}において伝送し、無線フレーム#nダウンリンクサブフレーム{5}は無線フレーム#nのFDDサービスセルのアップリンクサブフレーム{9}において伝送し、無線フレーム#nダウンリンクサブフレーム{6}は無線フレーム#n+1のFDDサービスセルのアップリンクサブフレーム{2}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのTDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のFDDサービスセルのアップリンクサブフレーム{2}において伝送し、無線フレーム#nのダウンリンクサブフレーム{9}は無線フレーム#n+1のTDDサービスセルのアップリンクサブフレーム{3}において伝送する。
【００８４】
FDDサービスセルとTDDサービスセル構成1がアグリゲーションされた場合、図4(c)に示される。
【００８５】
TDDサービスセルに対して、無線フレーム#nダウンリンクサブフレーム{0,1}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nダウンリンクサブフレーム{5,6}は無線フレーム#n+1のFDDサービスセルのアップリンクサブフレーム{2}において伝送し、無線フレーム#nダウンリンクサブフレーム{9}は無線フレーム#n+1のFDDサービスセルのアップリンクサブフレーム{3}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のFDDサービスセルのアップリンクサブフレーム{2}において伝送し、無線フレーム#nのダウンリンクサブフレーム{9}は無線フレーム#n+1のFDDサービスセルのアップリンクサブフレーム{3}において伝送する。
【００８６】
実例4
FDDサービスセルはプライマリサービスセルであり、TDDサービスセルはFDDサービスセルに対応するPDSCH及びHARQタイミング関係に応じて伝送する必要があるHARQ-ACKを確定し、FDDサービスセルはFDDサービスセルに対応するPDSCH及びHARQタイミング関係に応じて伝送する必要があるHARQ-ACKを確定し、HARQ-ACKに対応するPUCCHはFDDサービスセルの所在するアップリンクサブフレームにおいて送信する。
【００８７】
FDDサービスセルとTDDサービスセル構成2がアグリゲーションされた場合、図5(c)に示される。
【００８８】
TDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nダウンリンクサブフレーム{5}のPDSCHに対応するHARQは無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{8}のPDSCHに対応するHARQは無線フレーム#nのFDDサービスセルのアップリンクサブフレーム{2}において伝送し、無線フレーム#nダウンリンクサブフレーム{9}のPDSCHに対応するHARQは無線フレーム#n+1のFDDサービスセルのアップリンクサブフレーム{3}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のFDDサービスセルのアップリンクサブフレーム{2}において伝送し、無線フレーム#nのダウンリンクサブフレーム{9}は無線フレーム#n+1のFDDサービスセルのアップリンクサブフレーム{3}において伝送する。
【００８９】
FDDサービスセルとTDDサービスセル構成3がアグリゲーションされた場合、図6(c)に示される。
【００９０】
TDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nダウンリンクサブフレーム{5}のPDSCHに対応するHARQは無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nダウンリンクサブフレーム{8}のPDSCHに対応するHARQは無線フレーム#n+1のFDDサービスセルのアップリンクサブフレーム{2}において伝送し、無線フレーム#nダウンリンクサブフレーム{9}のPDSCHに対応するHARQは無線フレーム#n+1のFDDサービスセルのアップリンクサブフレーム{3}において伝送し、
FDDサービスセルに対して、無線フレーム#nダウンリンクサブフレーム{0}のPDSCHに対応するHARQは無線フレーム#nのFDDサービスセルのアップリンクサブフレーム{4}において伝送し、無線フレーム#nダウンリンクサブフレーム{1}のPDSCHに対応するHARQは無線フレーム#nのFDDサービスセルのアップリンクサブフレーム{5}において伝送し、無線フレーム#nのダウンリンクサブフレーム{2}は無線フレーム#nのFDDサービスセルのアップリンクサブフレーム{6}において伝送し、無線フレーム#nダウンリンクサブフレーム{3}のPDSCHに対応するHARQは無線フレーム#nのFDDサービスセルのアップリンクサブフレーム{7}において伝送し、無線フレーム#nダウンリンクサブフレーム{4}のPDSCHに対応するHARQは無線フレーム#nのFDDサービスセルのアップリンクサブフレーム{8}において伝送し、無線フレーム#nのダウンリンクサブフレーム{5}は無線フレーム#nのFDDサービスセルのアップリンクサブフレーム{9}において伝送し、無線フレーム#nダウンリンクサブフレーム{6}のPDSCHに対応するHARQは無線フレーム#n+1のFDDサービスセルのアップリンクサブフレーム{0}において伝送し、無線フレーム#nダウンリンクサブフレーム{7}のPDSCHに対応するHARQは無線フレーム#n+1のFDDサービスセルのアップリンクサブフレーム{1}において伝送し、無線フレーム#nのダウンリンクサブフレーム{8}は無線フレーム#n+1のFDDサービスセルのアップリンクサブフレーム{2}において伝送し、無線フレーム#nのダウンリンクサブフレーム{9}は無線フレーム#n+1のFDDサービスセルのアップリンクサブフレーム{3}において伝送する。
【００９１】
実例5
FDDサービスセルはプライマリサービスセルであり、FDDサービスセルはTDDサービスセルに対してクロスキャリア・スケジューリングを行い、TDDサービスセルはFDDサービスセルに対応するPDSCH及びHARQタイミング関係に応じて、伝送する必要があるHARQ-ACKを確定し、FDDサービスセルはFDDサービスセルに対応するPDSCH及びHARQタイミング関係に応じて伝送する必要があるHARQ-ACKを確定し、HARQ-ACKに対応するPUCCHはFDDサービスセルの所在するアップリンクサブフレームにおいて送信する。
【００９２】
実例6
FDDサービスセルとTDD構成0サービスセルがアグリゲーションされる。SRをサブフレーム#2において送信し、CSIをサブフレーム#5において送信する必要がある場合、
TDDサービスセルがプライマリサービスセルである場合、SRはTDDサービスセルのアップリンクサブフレーム#2に対応するPUCCHにおいて送信し、CSIはFDDサービスセルのアップリンクサブフレーム#5に対応するPUCCH又はPUSCHにおいて送信し、
FDDサービスセルがプライマリサービスセルである場合、SRはFDDサービスセルのアップリンクサブフレーム#2に対応するPUCCHにおいて送信し、CSIはFDDサービスセルのアップリンクサブフレーム#5に対応するPUCCH又はPUSCHにおいて送信し、
シグナリングはSRがFDDサービスセルのアップリンクサブフレームにおいて送信し、CSIもFDDサービスセルにおいて送信するように設定する場合、SRはFDDサービスセルのアップリンクサブフレーム#2に対応するPUCCHにおいて送信し、CSIはFDDサービスセルのアップリンクサブフレーム#5に対応するPUCCH又はPUSCHにおいて送信する。
【００９３】
実例7
図4(a)に示されるように、TDDはプライマリサービスセルであり、実施例1における具体的な実施例2に応じて、PDSCHとHARQ-ACKタイミング関係及びHARQ-ACKに対応するPUCCHが送信するアップリンクサブフレームを確定し、送信方式をformat1b with channel selectionに設定する場合、
TDDシステムに対応するマッピングテーブルを使用するという規則1に基づいてマッピングテーブルを選択すると、従来のTDDシステムにおけるバインディングウィンドウ内のダウンリンクサブフレームの個数が2以下である時に対応するマッピングテーブルは表3、表4、表5に示され、バインディングウィンドウ内のダウンリンクサブフレームの個数が3である時に対応するマッピングテーブルは表6に示され、バインディングウィンドウ内のダウンリンクサブフレームの個数が4である時に対応するマッピングテーブルは表7に示される。
【００９４】
2016531490.tif 000005
2016531490.tif 000006
【００９５】
2016531490.tif 000007
【００９６】
2016531490.tif 000008
【００９７】
2016531490.tif 000009
【００９８】
2016531490.tif 000010
2016531490.tif 000011
2016531490.tif 000012
【００９９】
アップリンクサブフレーム#4に対して、FDDサービスセルが前記タイミング関係に応じて確定したバインディングウィンドウ内のダウンリンクサブフレームの個数はMFDD＝1であり、FDDサービスセルのHARQ-ACKのみは#4におけるPUCCHにおいて送信する必要があり、つまりHARQ-ACKはFDDサービスセルのPDSCHのみに対応し、MTDD＝0であるため、この際にM＝1であり、
FDDサービスセルのダウンリンクサブフレーム#0のPDSCHが1つの伝送ブロックに対応する場合、A＝2の表に基づいてformat1b with channel selectionを実現し、HARQ（j）の対応関係は表8に示される。
【０１００】
2016531490.tif 000013
【０１０１】
FDDサービスセルのダウンリンクサブフレーム#0のPDSCHが2つの伝送ブロックに対応する場合、A＝3の表に基づいてformat1b with channel selectionを実現し、HARQ（j）の対応関係は表9に示される。
【０１０２】
2016531490.tif 000014
【０１０３】
アップリンクサブフレーム#5、#6、#9に対して、PUCCH format1b with channel selectionの実現方式はアップリンクサブフレーム#4に類似するため、ここで繰り返して説明しない。
【０１０４】
アップリンクサブフレーム#7に対して、FDDサービスセルが前記タイミング関係に応じて確定したバインディングウィンドウ内のダウンリンクサブフレームの個数はMFDD＝1であり、TDDサービスセルが前記タイミング関係に応じて確定したバインディングウィンドウ内のダウンリンクサブフレームの個数はMTDD＝2であり、即ちM＝2である。
【０１０５】
A＝3の表に基づいてPUCCH format1b with channel selectionを実現し、HARQ（j）の対応関係は表10に示される。
【０１０６】
2016531490.tif 000015
【０１０７】
アップリンクサブフレーム#8に対して、FDDサービスセルが前記タイミング関係に応じて確定したバインディングウィンドウ内のダウンリンクサブフレームの個数はMFDD＝1であり、FDDサービスセルが前記タイミング関係に応じて確定したバインディングウィンドウ内のダウンリンクサブフレームの個数はMFDD＝1であり、即ちM＝1である。
【０１０８】
FDDサービスセルのダウンリンクサブフレーム#4とTDDサービスセルのダウンリンクサブフレーム#4のPDSCHに対応する伝送ブロックの個数に基づく場合に、A＝2、A＝3、A＝4の表によりformat1b with channel selectionを実現し、HARQ（j）の対応関係はそれぞれ表11、表12、表13である。
【０１０９】
2016531490.tif 000016
【０１１０】
2016531490.tif 000017
【０１１１】
2016531490.tif 000018
【０１１２】
M＞＝2の場合、従来のTDDシステムに対応するマッピングテーブルを使用し、M＝1の場合、従来のFDDシステムに対応するマッピングテーブルを使用するという規則2に基づいてマッピングテーブルを選択すると、従来のTDDシステムに対応するマッピングテーブルは表3、表4、表5に示され、従来のFDDシステムに対応するマッピングテーブルは表14、表15、表16に示される。
【０１１３】
2016531490.tif 000019
【０１１４】
2016531490.tif 000020
【０１１５】
2016531490.tif 000021
【０１１６】
具体的な実現方式は具体的な実施例1と同一であるため、ここで繰り返して説明しない。
【０１１７】
M＞＝2の場合、従来のTDDシステムに対応するマッピングテーブルを使用し、M＝1の場合、プライマリサービスセルがTDDサービスセルであるため、従来のTDDシステムに対応するマッピングテーブルを使用するという規則3に基づいてマッピングテーブルを選択すると、従来のTDDシステムに対応するマッピングテーブルは表1、表2、表3、表4、表5に示され、従来のFDDシステムに対応するマッピングテーブルは表12、表13、表14に示され、具体的な実現方式は具体的な実施例1と同一であるため、ここで繰り返して説明しない。
【０１１８】
実例8
図7(a)に示されるように、TDDはプライマリサービスセルであり、実施例1における具体的な実施例5に基づいてPDSCH及びHARQ-ACKタイミング関係とHARQ-ACKに対応するPUCCHが送信するアップリンクサブフレームを確定し、送信方式をformat1b with channel selectionに設定すると、
TDDシステムのマッピングテーブルを使用するという規則1に基づいて、マッピングテーブルを選択する。
【０１１９】
無線フレーム#nアップリンクサブフレーム#4、#5、#6、#7、#8、#9と無線フレーム#n+1アップリンクサブフレーム#0、#1に対して、具体的な実現方式は実施例5の具体的な実施例1と同一であるため、ここで繰り返して説明しない。
【０１２０】
無線フレーム#n+1アップリンクサブフレーム#2に対して、FDDサービスセルが前記タイミング関係に応じて確定したバインディングウィンドウ内のダウンリンクサブフレームの個数はMFDD＝1であり、TDDサービスセルが前記タイミング関係に応じて確定したバインディングウィンドウ内のダウンリンクサブフレームの個数はMTDD＝4であり、即ちM＝4であり、表7に基づいてformat1b with channel selectionを実現し、HARQ（j）の対応関係は表17に示される。
【０１２１】
2016531490.tif 000022
【０１２２】
実例9
図7(a)に示されるように、TDDはプライマリサービスセルであり、実施例1における具体的な実施例5に応じてPDSCH及びHARQ-ACKタイミング関係とHARQ-ACKに対応すPUCCHが送信するるアップリンクサブフレームを確定し、送信方式をPUCCH format3に設定すると、
無線フレーム#n アップリンクサブフレーム#4に対して、HARQ-ACKは1つのサービスセルのPDSCHのみに対応し、PUCCH format1a/1bで送信し、無線フレーム#nにおけるFDDサービスセルにおけるダウンリンクサブフレーム#0がTDDサービスセルによりクロスキャリア・スケジューリングの場合、format1a/1bに対応するリソースは暗黙マッピング方式で取得され、さもないと、ハイヤーレイヤ設定で取得され、又はハイヤーレイヤが一つのグループのリソースを設定し、DCIに対応するTPCにより具体的に使用されるリソースを指示し、又はハイヤーレイヤが一つのグループのリソースを設定し、E-PDCCHに対応するAROにより具体的に使用されるリソースを指示する。
【０１２３】
無線フレーム#n アップリンクサブフレーム#5、#6、#7、#8、#9及び無線フレーム#n+1アップリンクサブフレーム#0、#1の処理方式は無線フレーム#nアップリンクサブフレーム#4と同一であるため、ここで繰り返して説明しない。
【０１２４】
無線フレーム#n+1アップリンクサブフレーム#2、#3に対して、HARQ-ACKは複数のサービスセルのPDSCHに対応し、従来のTDDシステムPUCCH format3の送信方式を使用し、従来のTDDシステムPUCCH format3の送信方式は従来技術であるため、ここで繰り返して説明しない。
【０１２５】
実施例2
本実施例はユーザ装置を提供し、図10に示されるように、上記実施例1におけるアップリンク制御情報の送信を実現でき、
FDDサービスセルとTDDサービスセルがアグリゲーションされた場合、プリセットの規則に応じて、アップリンク制御情報を伝送するアップリンクサブフレームがFDDサービスセルのアップリンクサブフレーム及び/又はTDDサービスセルのアップリンクサブフレームであることを確定する第一ユニット、
確定されたアップリンク制御情報を伝送するアップリンクサブフレームにおいてアップリンク制御情報を送信する第二ユニット、の2つのユニットを少なくとも含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信された場合、前記UEはTDDサービスセルのアップリンクサブフレームにおいてアップリンク制御情報を送信すること、
プライマリサービスセルはTDDサービスセルであり、サブフレームNはFDDサービスセルのアップリンクサブフレームのみを有し、且つサブフレームNにおいてアップリンク制御情報が送信された場合、前記UEはFDDサービスセルのアップリンクサブフレームにおいてアップリンク制御情報を送信すること、
プライマリサービスセルはTDDサービスセルであり、サブフレームNはTDDサービスセルのアップリンクサブフレームのみを有し、且つサブフレームNにおいてアップリンク制御情報が送信された場合、前記UEはTDDサービスセルのアップリンクサブフレームにおいてアップリンク制御情報を送信すること、
プライマリサービスセルがFDDサービスセルである場合、前記UEはFDDサービスセルのアップリンクサブフレームにおいてアップリンク制御情報を送信すること、
シグナリングは前記アップリンク制御情報をFDDサービスセルのアップリンクサブフレーム又はTDDサービスセルのアップリンクサブフレームにおいて送信するように指示すること、
前記アップリンク制御情報はプライマリサービスセルのアップリンクサブフレームにおいて伝送されること、のうちの1種又は複数種を含む。
【０１２６】
具体的に、上記第二ユニットは、確定されたアップリンク制御情報を伝送するアップリンクサブフレームに対応するPUCCH又はPUSCHにおいてアップリンク制御情報を伝送し、
アップリンク制御情報は、CSI、SR、HARQ-ACKの一種又は複数種を含む。
【０１２７】
アップリンク制御情報がHARQ-ACKを含む場合、第二ユニットはFDDサービスセルに対して、FDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、前記UEはTDDサービスセルに対して、TDDサービスセルに対応するPDSCH及びHARQタイミング関係に応じて、確定されたアップリンクサブフレームに対応するPUCCH又はPUSCHにおいて送信する必要があるHARQ-ACKを確定させ、又は
FDDサービスセルに対して、FDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルに対して、FDDサービスセルに対応するHARQ-ACKタイミング関係に応じて、確定されたアップリンクサブフレームに対応するPUCCH又はPUSCHにおいて送信する必要があるHARQ-ACKを確定させ、又は
FDDサービスセルがプライマリサービスセルである場合、FDDサービスセルとTDDサービスセルに対して、いずれもFDDサービスセルに対応するPDSCH及びHARQ-ACKタイミング関係に応じて、確定されたアップリンクサブフレームに対応するPUCCH又はPUSCHにおいて送信する必要があるHARQ-ACKを確定させ、TDDサービスセルがプライマリサービスセルである場合、FDDサービスセルとTDDサービスセルに対して、それぞれのサービスセルに対応するPDSCH及びHARQ-ACKタイミング関係に応じて、確定されたアップリンクサブフレームに対応するPUCCH又はPUSCHにおいて送信する必要があるHARQ-ACKを確定させる。
【０１２８】
実際の応用において、HARQ-ACKが1つのサービスセルのPDSCHに対応すると、第二ユニットは確定されたアップリンクサブフレームにおいてPUCCHフォーマット1a/1bでHARQ-ACKを送信することができる。
【０１２９】
具体的に、第二ユニットは確定されたアップリンクサブフレームに対応するPUCCHにおいて前記HARQ-ACKを送信し且つ設定される送信方式はPUCCHフォーマット1bに基づくチャネルセレクションである場合、
TDDシステムに対応するマッピングテーブルを使用する規則、
Mに基づいて対応するマッピングテーブルを選択し、M＞＝2の場合、従来のTDDシステムに対応するマッピングテーブルを使用し、M＝1の場合、従来のFDDシステムに対応するマッピングテーブルを使用する規則、
M値及びプライマリサービスセルに基づいて対応するマッピングテーブルを選択し、M＞＝2の場合、従来のTDDシステムに対応するマッピングテーブルを使用し、M＝1の場合、FDDサービスセルがプライマリサービスセルである場合、従来のFDDシステムに対応するマッピングテーブルを使用し、TDDサービスセルがプライマリサービスセルである場合、従来のTDDシステムに対応するマッピングテーブルを使用する規則、のうちのいずれかの規則に応じてPUCCHフォーマット1bに基づくチャネルに用いるマッピングテーブルを選択する。
【０１３０】
Mはmax{MTDD,MFDD}であり, MFDDはFDDサービスセルが上記タイミング関係に応じて確定したバインディングウィンドウ内のダウンリンクサブフレームの個数であり、MFDD＝1の場合、MTDDはTDDサービスセルが上記タイミング関係に応じて確定したバインディングウィンドウ内のダウンリンクサブフレームの個数であり、HARQ-ACKがFDDサービスセルのPDSCHのみに対応すると、MTDD＝0である。
【０１３１】
第二ユニットは確定されたアップリンクサブフレームに対応するPUCCHにおいて前記HARQ-ACKを送信し且つ設定される送信方式はPUCCHフォーマット3である場合、異なる状況に基づいて、異なる送信方式を選択する。
【０１３２】
例えば、HARQ-ACKが1つのサービスセルのPDSCHに対応する場合、第二ユニットはPUCCHフォーマット1a/1bでHARQ-ACKを送信し、
HARQ-ACKが複数のサービスセルのPDSCHに対応する場合、第二ユニットは従来のTDDシステムPUCCH format3の送信方式でHARQ-ACKを送信する。
【０１３３】
HARQ-ACKが1つのサービスセルのPDSCHに対応し且つ該サービスセルがプライマリサービスセルではない場合、第二ユニットがPUCCHフォーマット1a/1bを送信するために使用されるリソースについては、
HARQ-ACKに対応するサービスセルのPDSCHがプライマリサービスセルによりクロスキャリア・スケジューリングの場合、PUCCH format1a/1bを送信するために使用されるPUCCHリソースは暗黙マッピング方式で取得され、
HARQ-ACKに対応するサービスセルのPDSCHがプライマリサービスセルによりクロスキャリア・スケジューリングをしない場合、PUCCH format1a/1bを送信するために使用されるPUCCHリソースは、
ハイヤーレイヤシグナリング設定の方式、又は
ハイヤーレイヤが一つのグループのリソースを設定し、DCIに対応するTPCにより具体的に使用されるリソースを指示する方式、又は
ハイヤーレイヤが一つのグループのリソースを設定し、E-PDCCHに対応するAROにより具体的に使用されるリソースを指示する方式、の一種により取得される。
【０１３４】
実施例3
本実施例は基地局を提供し、
FDDサービスセルとTDDサービスセルがアグリゲーションされた場合、プリセットの規則に応じて、アップリンク制御情報を伝送するアップリンクサブフレームがFDDサービスセルのアップリンクサブフレーム及び/又はTDDサービスセルのアップリンクサブフレームであることを確定する第一ユニット、
確定されたアップリンク制御情報を伝送するアップリンクサブフレームにおいてアップリンク制御情報を受信する第二ユニット、という2つのユニットを含み、
前記プリセットの規則は、
プライマリサービスセルはTDDサービスセルであり、サブフレームNは同時にFDDサービスセルのアップリンクサブフレーム及びTDDプライマリサービスセルのアップリンクサブフレームを有し、且つサブフレームNにおいてアップリンク制御情報が送信された場合、TDDサービスセルのアップリンクサブフレームにおいてアップリンク制御情報を受信すること、
プライマリサービスセルはTDDサービスセルであり、サブフレームNはFDDサービスセルのアップリンクサブフレームのみを有し、且つサブフレームNにおいてアップリンク制御情報が送信された場合、FDDサービスセルのアップリンクサブフレームにおいてアップリンク制御情報を受信すること、
プライマリサービスセルはTDDサービスセルであり、サブフレームNはTDDサービスセルのアップリンクサブフレームのみを有し、且つサブフレームNにおいてアップリンク制御情報が送信された場合、TDDサービスセルのアップリンクサブフレームにおいてアップリンク制御情報を受信すること、
プライマリサービスセルがFDDサービスセルである場合、FDDサービスセルのアップリンクサブフレームにおいてアップリンク制御情報を受信すること、
シグナリングは前記アップリンク制御情報をFDDサービスセルのアップリンクサブフレーム又はTDDサービスセルのアップリンクサブフレームにおいて伝送するように指示すること、
前記アップリンク制御情報はプライマリサービスセルのアップリンクサブフレームにおいて伝送されること、のうちの1種又は複数種を含む。
【０１３５】
具体的に、上記第二ユニットは、確定されたアップリンク制御情報を伝送するアップリンクサブフレームに対応するPUCCH又はPUSCHにおいて前記アップリンク制御情報を受信し、
前記アップリンク制御情報は、CSI、SR、HARQ-ACKの一種又は複数種を含む。
【０１３６】
前記アップリンク制御情報がHARQ-ACKを含む場合、前記第二ユニットはFDDサービスセルに対して、FDDサービスセルに対応するPDSCH及びHARQ-ACKタイミング関係に応じて、確定されたアップリンクサブフレームに対応するPUCCH又はPUSCHにおいて伝送する必要があるHARQ-ACKを確定させ、TDDサービスセルに対して、TDDサービスセルに対応するPDSCH及びHARQタイミング関係に応じて、確定されたアップリンクサブフレームに対応するPUCCH又はPUSCHにおいて伝送する必要があるHARQ-ACKを確定させ、又は
FDDサービスセルに対して、FDDサービスセルに対応するPDSCH及びHARQ-ACKタイミング関係に応じて、確定されたアップリンクサブフレームに対応するPUCCH又はPUSCHにおいて伝送する必要があるHARQ-ACKを確定させ、TDDサービスセルに対して、FDDサービスセルに対応するHARQ-ACKタイミング関係に応じて、確定されたアップリンクサブフレームに対応するPUCCH又はPUSCHにおいて伝送する必要があるHARQ-ACKを確定させ、又は
FDDサービスセルがプライマリサービスセルである場合、FDDサービスセル及びTDDサービスセルに対して、いずれもFDDサービスセルに対応するPDSCH及びHARQ-ACKタイミング関係に応じて、確定されたアップリンクサブフレームに対応するPUCCH又はPUSCHにおいて伝送する必要があるHARQ-ACKを確定させ、TDDサービスセルがプライマリサービスセルである場合、FDDサービスセル及びTDDサービスセルに対して、それぞれのサービスセルに対応するPDSCH及びHARQ-ACKタイミング関係に応じて、確定されたアップリンクサブフレームに対応するPUCCH又はPUSCHにおいて伝送する必要があるHARQ-ACKを確定させる。
【０１３７】
前記HARQ-ACKが1つのサービスセルのPDSCHに対応する場合、前記第二ユニットは、確定されたアップリンクサブフレームにおいてPUCCHフォーマット1a/1bで前記HARQ-ACKを受信する。
【０１３８】
前記第二ユニットは確定されたアップリンクサブフレームに対応するPUCCHにおいて前記HARQ-ACKを受信し且つ設定される伝送方式はPUCCHフォーマット1bに基づくチャネルセレクションである場合、
TDDシステムに対応するマッピングテーブルを使用する規則、
Mに基づいて対応するマッピングテーブルを選択し、M＞＝2の場合、従来のTDDシステムに対応するマッピングテーブルを使用し、M＝1の場合、従来のFDDシステムに対応するマッピングテーブルを使用する規則、
M値及びプライマリサービスセルに基づいて対応するマッピングテーブルを選択し、M＞＝2の場合、従来のTDDシステムに対応するマッピングテーブルを使用し、M＝1の場合、FDDサービスセルがプライマリサービスセルである場合、従来のFDDシステムに対応するマッピングテーブルを使用し、TDDサービスセルがプライマリサービスセルである場合、従来のTDDシステムに対応するマッピングテーブルを使用する規則、のうちのいずれかの規則に応じてPUCCHフォーマット1bに基づくチャネルに用いるマッピングテーブルを選択する。
【０１３９】
Mはmax{MTDD,MFDD}であり, MFDDはFDDサービスセルが前記タイミング関係に応じて確定したバインディングウィンドウ内のダウンリンクサブフレームの個数であり、MFDD＝1の場合、MTDDはTDDサービスセルが前記タイミング関係に応じて確定したバインディングウィンドウ内のダウンリンクサブフレームの個数であり、前記HARQ-ACKがFDDサービスセルのPDSCHのみに対応する場合、MTDD＝0である。
【０１４０】
第二ユニットは確定されたアップリンクサブフレームに対応するPUCCHにおいて前記HARQ-ACKを受信し且つ設定される伝送方式はPUCCHフォーマット3である場合、
前記HARQ-ACKが1つのサービスセルのPDSCHに対応する場合、前記第二ユニットはPUCCHフォーマット1a/1bで前記HARQ-ACKを受信し、 
前記HARQ-ACKが複数のサービスセルのPDSCHに対応する場合、前記第二ユニットは従来のTDDシステムのPUCCHフォーマット3の送信方式で前記HARQ-ACKを受信する。
【０１４１】
前記HARQ-ACKが1つのサービスセルのPDSCHに対応し且つ前記サービスセルがプライマリサービスセルではない場合、前記第二ユニットがPUCCHフォーマット1a/1bを受信するために使用されるリソースについては、
HARQ-ACKに対応するサービスセルのPDSCHがプライマリサービスセルによりクロスキャリア・スケジューリングの場合、PUCCHフォーマット1a/1bを受信するために使用されるPUCCHリソースは暗黙マッピング方式で取得され、
HARQ-ACKに対応するサービスセルのPDSCHがプライマリサービスセルによりクロスキャリア・スケジューリングをしない場合、PUCCHフォーマット1a/1bを受信するために使用されるPUCCHリソースは、
ハイヤーレイヤシグナリング設定の方式、又は
ハイヤーレイヤが一つのグループのリソースを設定し、DCIに対応するTPCにより具体的に使用されるリソースを指示する方式、又は
ハイヤーレイヤが一つのグループのリソースを設定し、E-PDCCHに対応するAROにより具体的に使用されるリソースを指示する方式、の一種により取得される。
【０１４２】
当業者は、上記方法における全部又は一部のステップがプログラムにより関連ハードウェアに命令して完了させることができ、前記プログラムがコンピュータ可読記憶媒体、例えば読み出し専用メモリ、ディスク又はCD等に記憶できることを理解できる。選択的に、上記実施例の全部又は一部のステップは1つ又は複数の集積回路により実現することも可能である。相応的に、上記実施例における各モジュール/ユニットはハードウェアで実現可能であり、ソフトウェアの機能モジュールで実現可能である。本願はいかなる特定形式のハードウェアとソフトウェアの組み合わせに制限されるものではない。
【０１４３】
上記の内容は本発明の好適な実施例に過ぎず、本発明の保護範囲を限定するものではない。本発明の精神や原則を脱逸しない限り、いかなる変化、等同置換、改良等は、いずれも本発明の保護範囲内に含まれる。
【産業上の利用可能性】
【０１４４】
本願の技術的解決手段は、FDDサービスセル及びTDDサービスセルがアグリゲーションされた場合のアップリンク制御情報の送信問題を解決することができる。
【図１】
2016531490.tif 000023
【図２】
2016531490.tif 000024
【図３（ａ）】
2016531490.tif 000025
【図３（ｂ）】
2016531490.tif 000026
【図３（ｃ）】
2016531490.tif 000027
【図４（ａ）】
2016531490.tif 000028
【図４（ｂ）】
2016531490.tif 000029
【図４（ｃ）】
2016531490.tif 000030
【図５（ａ）】
2016531490.tif 000031
【図５（ｂ）】
2016531490.tif 000032
【図５（ｃ）】
2016531490.tif 000033
【図６（ａ）】
2016531490.tif 000034
【図６（ｂ）】
2016531490.tif 000035
【図６（ｃ）】
2016531490.tif 000036
【図７（ａ）】
2016531490.tif 000037
【図７（ｂ）】
2016531490.tif 000038
【図８（ａ）】
2016531490.tif 000039
【図８（ｂ）】
2016531490.tif 000040
【図９（ａ）】
2016531490.tif 000041
【図９（ｂ）】
2016531490.tif 000042
【図１０】
2016531490.tif 000043
【国際調査報告】
2016531490.tif 000044
2016531490.tif 000045
2016531490.tif 000046
2016531490.tif 000047